(57)【要約】【課題】使い勝手の良いアドホックな無線通信ネットワークを形成可能とする。【解決手段】第１の通信方式で通信を行う第１の通信範囲内に、第１の通信方式とは異なる第２の通信方式による第２の通信範囲を設定する通信制御装置と、第２の通信範囲内において、第１の通信方式で通信を行う通信装置とを有する。通信制御装置は、第２の通信部により形成された第２の通信範囲及び第１の通信範囲内に位置する一つ又は複数の通信装置でそれぞれ形成された第２の通信範囲のうち、複数の第２の通信範囲を共通の通信範囲として設定する。また、共通の通信範囲内における、既存の各通信装置のアクセス情報及び制御情報を、共通の通信範囲内に入った新規通信装置に送信する。通信装置は、アクセス情報に基づいて所望の通信装置にアクセスし、対応する制御情報に基づいて、アクセスした通信装置を制御する。【選択図】図１５
2017085457.tif 000002
【特許請求の範囲】
【請求項１】
第１の通信方式による第１の通信範囲を形成する第１の通信部と、
前記第１の通信範囲内において、前記第１の通信方式とは異なる第２の通信方式による第２の通信範囲を形成する第２の通信部と、
前記第２の通信部により形成された前記第２の通信範囲、及び、前記第１の通信範囲内に位置する一つ又は複数の通信装置によりそれぞれ形成された第２の通信範囲のうち、複数の第２の通信範囲を共通の通信範囲として設定する設定部と、
前記各通信装置のアクセス情報及び制御情報を、前記共通の通信範囲内に入った新規通信装置に送信する送信部と
を有する通信制御装置。
【請求項２】
前記送信部は、前記共通の通信範囲を形成する前記各第２の通信範囲にそれぞれ対応する、前記各第２の通信範囲内に位置しているか否かを判別するための閾値を、前記新規通信装置及び前記各通信装置に対して送信し、
前記第１の通信部は、前記新規通信装置又は前記各通信装置が、前記各第２の通信範囲に対する通信強度と、前記各第２の通信範囲の前記閾値とを比較し、前記共通の通信範囲を形成する、いずれの前記第２の通信範囲にも位置しないと判別することで、前記新規通信装置又は前記各通信装置から送信される切断指示を受信した際に、前記新規通信装置又は前記各通信装置との間に確立されていた前記第１の通信方式の通信回線を切断処理すること
を特徴とする請求項１に記載の通信制御装置。
【請求項３】
前記送信部は、前記共通の通信範囲を形成する第２の通信範囲のうち、前記新規通信装置又は前記各通信装置の移動に応じて、前記新規通信装置又は前記各通信装置が入った前記第２の通信範囲に対応する前記閾値を送信し、
前記第１の通信部は、前記新規通信装置又は前記各通信装置が、現在、位置している前記第２の通信範囲に対する通信強度と、送信された前記閾値とを比較することで、前記共通の通信範囲を形成する、いずれの前記第２の通信範囲にも位置しないと判別した場合に、前記新規通信装置又は前記各通信装置から送信される切断指示を受信した際に、前記新規通信装置又は前記各通信装置との間に確立されていた前記第１の通信方式の通信回線を切断処理すること
を特徴とする請求項１に記載の通信制御装置。
【請求項４】
第１の通信部が、第１の通信方式による第１の通信範囲を形成する第１の通信範囲形成ステップと、
第２の通信部が、前記第１の通信範囲内において、前記第１の通信方式とは異なる第２の通信方式による第２の通信範囲を形成する第２の通信範囲形成ステップと、
設定部が、前記第２の通信部により形成された前記第２の通信範囲、及び、前記第１の通信範囲内に位置する一つ又は複数の通信装置によりそれぞれ形成された第２の通信範囲のうち、複数の第２の通信範囲を共通の通信範囲として設定する設定ステップと、
送信部が、前記各通信装置のアクセス情報及び制御情報を、前記共通の通信範囲内に入った新規通信装置に送信する送信ステップと
を有する通信制御方法。
【請求項５】
第１の通信範囲で第１の通信方式による通信を可能とする第１の通信部、及び、前記第１の範囲内の第２の通信範囲で、前記第１の通信方式とは異なる第２の通信方式による通信を可能とする第２の通信部を備えた通信制御装置と、前記第２の通信範囲内において、前記第１の通信方式による通信を行う通信装置と、を有するシステムであって、
前記通信制御装置は、
第１の通信方式による第１の通信範囲を形成する第１の通信部と、
前記第１の通信範囲内において、前記第１の通信方式とは異なる第２の通信方式による第２の通信範囲を形成する第２の通信部と、
前記第２の通信部により形成された前記第２の通信範囲、及び、前記第１の通信範囲内に位置する一つ又は複数の通信装置によりそれぞれ形成された第２の通信範囲のうち、複数の第２の通信範囲を共通の通信範囲として設定する設定部と、
前記各通信装置のアクセス情報及び制御情報を、前記共通の通信範囲内に入った新規通信装置に送信する送信部と、を備え、
前記通信装置は、
前記第２の通信範囲内において、前記アクセス情報に基づいて所望の前記通信装置にアクセスし、対応する前記制御情報に基づいて、アクセスした前記通信装置を制御する制御部を備えること
を特徴とするシステム。
【請求項６】
コンピュータを、
第１の通信方式による第１の通信範囲を形成する第１の通信部と、
前記第１の通信範囲内において、前記第１の通信方式とは異なる第２の通信方式による第２の通信範囲を形成する第２の通信部と、
前記第２の通信部により形成された前記第２の通信範囲、及び、前記第１の通信範囲内に位置する一つ又は複数の通信装置によりそれぞれ形成された第２の通信範囲のうち、複数の第２の通信範囲を共通の通信範囲として設定する設定部と、
前記各通信装置のアクセス情報及び制御情報を、前記共通の通信範囲内に入った新規通信装置に送信する送信部として機能させること
を特徴とするプログラム。
【発明の詳細な説明】
【技術分野】
【０００１】
本発明は、通信制御装置、通信制御方法、システム、およびプログラムに関する。
【背景技術】
【０００２】
今日において、ネットワークのアクセスポイントを介して、遠隔のコンピュータと電磁波による無線通信を可能とする無線ＬＡＮが知られている。ＬＡＮは、「Local  Area  Network」の略記である。無線ＬＡＮは、利便性の高いネットワークであり、広く普及している。また、無線ＬＡＮよりも通信範囲の狭い、ブルートゥース（登録商標）等の近距離無線通信も広く普及している。
【発明の概要】
【発明が解決しようとする課題】
【０００３】
ここで、無線ＬＡＮに代表される中程度の到達距離を持つ無線通信ネットワーク内において、ブルートゥース（登録商標）等の近距離無線通信範囲内に限定して、無線ＬＡＮの使用を許可するアドホックな無線通信ネットワークの構築を考える。
【０００４】
このようなアドホックな無線通信ネットワークを構築する場合において、無線ＬＡＮ通信範囲内において、ブルートゥースの通信範囲は可変困難となることが想定される。また、無線ＬＡＮの通信範囲内に複数のブルートゥースの通信範囲が形成されていた場合に、ブルートゥースの各通信範囲を自由に選択して通信を行うことは困難となることが想定される。このため、上述のアドホックな無線通信ネットワークは、使い勝手の悪い無線通信ネットワークとなるおそれがある。
【０００５】
本発明は、上述の課題に鑑みてなされたものであり、使い勝手の良いアドホックな無線通信ネットワークを形成可能な通信制御装置、通信制御方法、システム、およびプログラムの提供を目的とする。
【課題を解決するための手段】
【０００６】
上述した課題を解決し、目的を達成するために、本発明は、第１の通信方式による第１の通信範囲を形成する第１の通信部と、第１の通信範囲内において、第１の通信方式とは異なる第２の通信方式による第２の通信範囲を形成する第２の通信部と、第２の通信部により形成された第２の通信範囲、及び、第１の通信範囲内に位置する一つ又は複数の通信装置によりそれぞれ形成された第２の通信範囲のうち、複数の第２の通信範囲を共通の通信範囲として設定する設定部と、各通信装置のアクセス情報及び制御情報を、共通の通信範囲内に入った新規通信装置に送信する送信部とを有する。
【発明の効果】
【０００７】
本発明によれば、使い勝手の良いアドホックな無線通信ネットワークを形成できるという効果を奏する。
【図面の簡単な説明】
【０００８】
【図１】図１は、無線ＬＡＮ通信システムの基本構成を示すシステム構成図である。
【図２】図２は、基本構成となる無線ＬＡＮ通信システムに設けられている通信範囲制限装置のハードウェア構成図である。
【図３】図３は、基本構成となる無線ＬＡＮ通信システムに設けられているスマートフォンのハードウェア構成図である。
【図４】図４は、基本構成となる無線ＬＡＮ通信システムに設けられているプリンタ装置のハードウェア構成図である。
【図５】図５は、基本構成となる無線ＬＡＮ通信システムに設けられているプロジェクタ装置のハードウェア構成図である。
【図６】図６は、基本構成となる無線ＬＡＮ通信システムに設けられている通信範囲制限装置の機能ブロック図である。
【図７】図７は、基本構成となる無線ＬＡＮ通信システムに設けられているスマートフォンの機能ブロック図である。
【図８】図８は、基本構成となる無線ＬＡＮ通信システムに設けられているプリンタ装置の機能ブロック図である。
【図９】図９は、基本構成となる無線ＬＡＮ通信システムにおいて、無線ＬＡＮ通信エリアのＢＬＥ通信エリア内に移動したスマートフォンが、無線ＬＡＮ通信回線を確立する流れを示すシーケンス図である。
【図１０】図１０は、基本構成となる無線ＬＡＮ通信システムにおいて、無線ＬＡＮ通信エリアのＢＬＥ通信エリア内に位置するプリンタ装置が、無線ＬＡＮ通信回線を確立する流れを示すシーケンス図である。
【図１１】図１１は、基本構成となる無線ＬＡＮ通信システムにおいて、無線ＬＡＮに接続されたスマートフォンからプリンタ装置を遠隔操作して印刷物を印刷する流れを示すフローチャートである。
【図１２】図１２は、基本構成となる無線ＬＡＮ通信システムにおいて、ＢＬＥ通信エリア内でプリンタ装置に無線ＬＡＮ接続されているスマートフォンが、ＢＬＥ通信エリア外に移動した際に、無線ＬＡＮ通信回線（及びＢＬＥ通信回線）が切断される流れを示すシーケンス図である。
【図１３】図１３は、基本構成となる無線ＬＡＮシステムにおいて、ＢＬＥ通信エリアの少なくとも一部が無線ＬＡＮ通信エリア外に位置する場合の一例を示すシステム構成図である。
【図１４】図１４は、実施の形態の無線ＬＡＮ通信システムのシステム構成図である。
【図１５】図１５は、ＢＬＥ通信エリア内に位置したデバイスが、無線ＬＡＮ通信回線を確立する動作を示すタイムチャートである。
【図１６】図１６は、ＢＬＥ通信エリア内に位置するスマートデバイス及びデバイスの間で、無線ＬＡＮ通信回線を確立する動作を示すタイムチャートである。
【図１７】図１７は、ＢＬＥ通信範囲内に限定されて確立された無線ＬＡＮ通信回線の切断処理の流れを示すタイムチャートである。
【図１８】図１８は、実施の形態の無線ＬＡＮ通信システムの具体的なシステム構成図である。
【図１９】図１９は、通信範囲制限装置の機能ブロック図である。
【図２０】図２０は、スマートフォンの機能ブロック図である。
【図２１】図２１は、プリンタ装置の機能ブロック図である。
【図２２】図２２は、プロジェクタ装置の機能ブロック図である。
【図２３】図２３は、スマートデバイスが通信範囲制限装置との間で無線ＬＡＮの通信接続を行う動作の流れを示すフローチャートである。
【図２４】図２４は、無線ＬＡＮ通信回線の切断動作の流れを示すフローチャートである。
【図２５】図２５は、無線ＬＡＮの他の切断処理の流れを示すフローチャートである。
【発明を実施するための形態】
【０００９】
以下、添付図面を参照して、本発明を適用した実施の形態となる無線ＬＡＮ（Local  Area  Network）通信システムを詳細に説明する。
【００１０】
（基本構成）
まず、以下に説明する実施の形態の無線ＬＡＮ通信システムの基本構成を説明する。図１は、無線ＬＡＮ通信システムの基本構成を示すシステム構成図である。図１に示すように、無線ＬＡＮ通信システムは、通信範囲制限装置１、第１のデバイスとしてスマートフォン２、第２のデバイスとしてプリンタ装置３、及び、第３のデバイスとしてプロジェクタ装置４を有している。なお、図１に示す各デバイスは一例であり、後述する通信機能を有するデバイスであれば、どのようなデバイスでもよい。例えばスマートフォン２の代わりに、タブレット端末装置、携帯ゲーム機、ノート型のパーソナルコンピュータ装置等の携帯可能な通信機器を用いてもよい。
【００１１】
（通信範囲制限装置の基本構成）
通信範囲制限装置１は、例えば無線ＬＡＮルータ等の、無線ＬＡＮのアクセスポイントを形成する機器となっている。通信範囲制限装置１は、ローカルエリアネットワークの一例として、図１中、実線の楕円で示す無線ＬＡＮ通信エリア５を形成する。また、通信範囲制限装置１は、無線ＬＡＮ通信エリア５内における、無線ＬＡＮ通信エリア５よりも狭いエリア内においてのみ、各デバイスの通信を可能とする。例えば、通信範囲制限装置１は、無線ＬＡＮ通信エリア５内における、無線ＬＡＮ通信エリア５よりも狭い、パーソナルエリアネットワーク（ＰＡＮ）内においてのみ、各デバイスの通信を可能とする。
【００１２】
一例として、パーソナルエリアネットワークとしては、極低電力でＢＬＥ（Bluetooth（登録商標）  Low  Energy）通信を行うブルートゥース（登録商標）ＰＡＮを用いることができる。図１中、点線の楕円に示す通信範囲が、ブルートゥース（登録商標）ＰＡＮによるＢＬＥ通信エリア６である。なお、パーソナルエリアネットワークはブルートゥースＰＡＮであることとして説明を進める。しかし、ブルートゥースの代わりに、例えば非接触無線（NFC：Near  Field  Communications）、ミリ波無線通信、ＱＲコード（登録商標）、可視光、環境音、又は超音波を用いてもよい。
【００１３】
（通信範囲制限装置の基本的なハードウェア構成）
図２に、通信範囲制限装置１の基本的なハードウェア構成を示す。この図２に示すように、通信範囲制限装置１は、ＣＰＵ（Central  Processing  Unit）１１、ＲＯＭ（Read  Only  Memory）１２、ＲＡＭ（Random  Access  Memory）１３、ＨＤＤ（Hard  Disk  Drive）１４、入出力インタフェース（入出力Ｉ／Ｆ）１５、無線ＬＡＮＡＰ部１６（ＡＰはアクセスポイントの意である）、及び、ＢＬＥ通信部１７を有している。ＣＰＵ１１〜ＢＬＥ通信部１７は、バスライン１８を介して相互に接続されている。無線ＬＡＮＡＰ部１６は、第１の通信部の一例である。ＢＬＥ通信部１７は、第２の通信部の一例である。
【００１４】
ＲＯＭ１２には、無線ＬＡＮ通信エリア５内のＢＬＥ通信エリア６でのみ、各デバイスの通信を可能とするための通信制御プログラムが記憶されている。通信制御プログラムは、ＲＡＭ１３又はＨＤＤ１４等の他の記憶部に記憶させてもよい。ＣＰＵ１１は、通信制御プログラムに従って動作することで、無線ＬＡＮＡＰ部１６及びＢＬＥ通信部１７を制御し、無線ＬＡＮ通信エリア５内のＢＬＥ通信エリア６においてのみ、各デバイスの通信を可能とする制御を行う。
【００１５】
図１及び図２においては、通信範囲制限装置１は、機器単体として図示されている。しかし、通信範囲制限装置１は、各デバイスの内部に組み込まれていてもよい。例えばプリンタ装置、または、複合機（ＭＦＰ）等の機器内に組み込まれていてもよい。
【００１６】
（スマートフォンの基本的なハードウェア構成）
図３に、スマートフォン２の基本的なハードウェア構成を示す。この図３に示すように、スマートフォン２は、ＣＰＵ２１、ＲＯＭ２２、ＲＡＭ２３、表示部２４、マイクロホン部２５、スピーカ部２６を有している。また、スマートフォン２は、入出力Ｉ／Ｆ２８、無線通信部２９、カメラ部３０、無線ＬＡＮ通信部３１、及び、ＢＬＥ通信部３２を有している。ＣＰＵ２１〜ＢＬＥ通信部３２は、バスライン３３を介して相互に接続されている。
【００１７】
ＲＯＭ２２には、無線ＬＡＮ通信エリア５内のＢＬＥ通信エリア６でのみ、各デバイスの通信を可能とするための通信制御プログラムが記憶されている。通信制御プログラムは、ＲＡＭ２３等の他の記憶部に記憶させてもよい。ＣＰＵ２１は、通信制御プログラムに従って動作することで、無線ＬＡＮ通信部３１及びＢＬＥ通信部３２を制御する。これにより、無線ＬＡＮ通信エリア５内のＢＬＥ通信エリア６におけるＢＬＥ通信を可能とする。
【００１８】
表示部２４は、透明電極で形成されたタッチパネルと、表示パネルとを一体的に形成した、いわゆるタッチパネル付表示部となっている。無線通信部２９は、所定のキャリアの無線基地局を介して、電話及びメール等の通信を行う。
【００１９】
（プリンタ装置の基本的なハードウェア構成）
図４に、プリンタ装置３の基本的なハードウェア構成を示す。この図４に示すように、プリンタ装置３は、ＣＰＵ４１、ＲＯＭ４２、ＲＡＭ４３、操作パネル４４、プリンタ機構４５を有している。また、プリンタ装置３は、ＨＤＤ４６、無線ＬＡＮ通信部４７、ＢＬＥ通信部４８、有線通信部４９及び入出力Ｉ／Ｆ５０を有している。ＣＰＵ４１〜入出力Ｉ／Ｆ５０は、バスライン５１を介して相互に接続されている。
【００２０】
ＲＯＭ４２には、無線ＬＡＮ通信エリア５内のＢＬＥ通信エリア６でのみ、各デバイスの通信を可能とするための通信制御プログラムが記憶されている。通信制御プログラムは、ＲＡＭ４３又はＨＤＤ４６等の他の記憶部に記憶させてもよい。ＣＰＵ４１は、通信制御プログラムに従って動作することで、無線ＬＡＮ通信部４７及びＢＬＥ通信部４８を制御する。これにより、無線ＬＡＮ通信エリア５内のＢＬＥ通信エリア６におけるＢＬＥ通信を可能とする。また、プリンタ機構４５は、スマートフォン２から指定された印刷設定で画像及びテキスト等の印刷を行う。
【００２１】
（プロジェクタ装置の基本的なハードウェア構成）
図５に、プロジェクタ装置４の基本的なハードウェア構成を示す。この図５に示すように、プロジェクタ装置４は、入力インタフェース部（入力ＩＦ部）６１、画像処理部６２、照明光学系６３、ＲＡＭ６４及び操作部６５を有している。また、プロジェクタ装置４は、リモートコントローラ７０から赤外線送信されるコマンドを受信する受信部６６、無線ＬＡＮ通信部６７、ＢＬＥ通信部６８、及び、ＣＰＵ６９を有している。
【００２２】
このようなプロジェクタ装置４は、投影される画像に対応する画像情報が、入力ＩＦ部６１に供給される。画像情報は、画像処理部６２により、歪み補正等の所定の画像処理が施された後、照明光学系６３によりスクリーン等に投影される。
【００２３】
ＲＡＭ６４には、無線ＬＡＮ通信エリア５内のＢＬＥ通信エリア６でのみ、各デバイスの通信を可能とするための通信制御プログラムが記憶されている。通信制御プログラムは、ＲＯＭ又はＨＤＤ等の他の記憶部に記憶させてもよい。ＣＰＵ６９は、通信制御プログラムに従って動作することで、無線ＬＡＮ通信部６７及びＢＬＥ通信部６８を制御する。これにより、無線ＬＡＮ通信エリア５内のＢＬＥ通信エリア６におけるＢＬＥ通信を可能とする。
【００２４】
（通信範囲制限装置の基本的なソフトウェア構成）
次に、図６は、通信範囲制限装置１のＣＰＵ１１が通信制御プログラムに従って動作することで実現される各機能の機能ブロックである。この図６に示すように、通信範囲制限装置１のＣＰＵ１１は、通信制御プログラムを実行することで、デバイス接続部７５、周辺機器接続部７６、離脱検知部７７、無線ＬＡＮＡＰ制御部７８及びＢＬＥ通信制御部７９として機能する。
【００２５】
なお、この例では、デバイス接続部７５〜ＢＬＥ通信制御部７９は、通信制御プログラムにより、ソフトウェア的に実現されることとして説明を進める。しかし、デバイス接続部７５〜ＢＬＥ通信制御部７９のうち、一部又は全部をＩＣ（Integrated  Circuit）で実現してもよいし、一部または全部をハードウェアで実現してもよい。
【００２６】
また、通信範囲制限装置１の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリ等のコンピュータ装置で読み取り可能な記録媒体に記録して提供してもよい。また、通信範囲制限装置１の通信制御プログラムは、インターネット等のネットワーク経由でインストールするかたちで提供してもよい。また、通信範囲制限装置１の通信制御プログラムは、機器内のＲＯＭ等に予め組み込んで提供してもよい。
【００２７】
（スマートフォンの基本的なソフトウェア構成）
次に、図７は、スマートフォン２のＣＰＵ２１が通信制御プログラムに従って動作することで実現される各機能の機能ブロックである。この図７に示すように、スマートフォン２のＣＰＵ２１は、通信制御プログラムに従って動作することで、印刷依頼部８１、無線ＬＡＮ通信制御部８２、ＢＬＥ通信制御部８３としての機能を実現させる。印刷依頼部８１は、ＢＬＥ通信によりプリンタ装置３を遠隔操作して、所望の画像及び文字等を印刷させる機能である。
【００２８】
なお、この例では、印刷依頼部８１〜ＢＬＥ通信制御部８３は、通信制御プログラムにより、ソフトウェア的に実現されることとして説明を進める。しかし、印刷依頼部８１〜ＢＬＥ通信制御部８３のうち、一部又は全部をＩＣ（Integrated  Circuit）で実現してもよいし、一部または全部をハードウェアで実現してもよい。
【００２９】
また、スマートフォン２の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリなどのコンピュータ装置で読み取り可能な記録媒体に記録して提供してもよい。また、スマートフォン２の通信制御プログラムは、インターネット等のネットワーク経由でインストールするかたちで提供してもよい。また、スマートフォン２の通信プログラムは、機器内のＲＯＭ等に予め組み込んで提供してもよい。
【００３０】
（プリンタ装置の基本的なソフトウェア構成）
次に、図８は、プリンタ装置３のＣＰＵ４１が通信制御プログラムに従って動作することで実現される各機能の機能ブロックである。この図８に示すように、プリンタ装置３のＣＰＵ４１は、通信制御プログラムに従って動作することで、印刷部８５、無線ＬＡＮ通信制御部８６及びＢＬＥ通信制御部８７としての機能を実現させる。印刷部８５は、スマートフォン２から依頼された画像及び文字等を用紙に印刷するように、プリンタ機構４５を制御する機能である。
【００３１】
なお、この例では、印刷部８５〜ＢＬＥ通信制御部８７は、ソフトウェア的に実現されることとして説明を進める。しかし、印刷部８５〜ＢＬＥ通信制御部８７のうち、一部又は全部をＩＣ（Integrated  Circuit）で実現してもよいし、一部又は全部をハードウェアで実現してもよい。
【００３２】
また、プリンタ装置３の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリなどのコンピュータ装置で読み取り可能な記録媒体に記録して提供してもよい。また、プリンタ装置３の通信制御プログラムは、インターネット等のネットワーク経由でインストールするかたちで提供してもよい。また、プリンタ装置３の通信制御プログラムは、機器内のＲＯＭ等に予め組み込んで提供してもよい。
【００３３】
（無線ＬＡＮ通信システムの基本動作の概要）
このような無線ＬＡＮ通信システムにおいて、図１に実線で示す外側の楕円が、通信範囲制限装置１の無線ＬＡＮＡＰ部１６で形成される無線ＬＡＮの通信可能範囲（無線ＬＡＮ通信エリア５）を示している。この無線ＬＡＮ通信エリア５内に、スマートフォン２、プリンタ装置３及びプロジェクタ装置４が位置している。
【００３４】
スマートフォン２は、無線ＬＡＮ通信機能が設けられたプリンタ装置３及びプロジェクタ装置４等の周辺機器と通信し、無線ＬＡＮを介して所望の画像、文字等の印刷、又は、画像の投影等の遠隔操作が可能となっている。
【００３５】
また、プリンタ装置３及びプロジェクタ装置４等の周辺機器は、無線ＬＡＮ通信部４７，６７と共に、ＢＬＥ通信部４８，６８を有している。これにより、通信範囲制限装置１のＢＬＥ通信部１７との間で、ＢＬＥ通信が可能となっている。ただし、図１に、点線の楕円で示すように、ＢＬＥ通信エリア６は、無線ＬＡＮ通信エリア５よりも狭くなっている。このため、ＢＬＥ通信エリア６内に位置するスマートフォン２及びプリンタ装置３と、通信範囲制限装置１との間でＢＬＥ通信を行うことは可能である。しかし、ＢＬＥ通信エリア６外に位置するプロジェクタ装置４と、通信範囲制限装置１との間でＢＬＥ通信を行うことは不可となっている。
【００３６】
すなわち、無線ＬＡＮ通信システムは、後述するように、ＢＬＥ通信を用いて無線ＬＡＮ設定を行う。このため、実際に無線ＬＡＮで通信できるのは、ＢＬＥ通信が可能なスマートフォン２及びプリンタ装置３だけであり、ＢＬＥ通信が不可なプロジェクタ装置４は、無線ＬＡＮ通信エリア５内であっても、無線ＬＡＮ設定を行うことができず、無線ＬＡＮ通信は不可となっている。
【００３７】
（スマートフォンに対する基本的な接続動作）
図９は、無線ＬＡＮ通信エリア５のＢＬＥ通信エリア６内に移動したスマートフォン２が、無線ＬＡＮ通信回線を確立する流れを示すシーケンス図である。通信範囲制限装置１のデバイス接続部７５は、ＢＬＥ通信制御部７９からＢＬＥ通信部１７を介して、例えば３つのアドバタイズメントチャネルのアドバタイズメントパケットを送信することで、周辺機器に対して自機（自装置）の存在を知らせている。アドバタイズメントパケットには、ＢＬＥ通信エリア６を示す通信範囲情報が含まれている。ステップＳ１は、ＢＬＥ通信エリア６を示す通信範囲情報を含むアドバタイズメントパケットの送信を示している。
【００３８】
ＢＬＥ通信エリア６内に、スマートフォン２が位置すると、スマートフォン２のＢＬＥ通信部３２で、通信範囲制限装置１から送信されているアドバタイズメントパケット（通信範囲情報）が受信される。スマートフォン２は、受信した通信範囲情報を参照することで、スマートフォン２自身がＢＬＥ通信エリア６内に位置しているか否かを判別する。そして、この判別結果を、ステップＳ２に示す応答として、ＢＬＥ通信により通信範囲制限装置１に送信する。スマートフォン２が、ＢＬＥ通信エリア６内に位置している場合、スマートフォン２のＢＬＥ通信部３２及び通信範囲制限装置１のＢＬＥ通信部１７は、ステップＳ３において、ＢＬＥ通信のペアリング処理（ＢＬＥペアリング）を行う。これにより、スマートフォン２と通信範囲制限装置１との間でＢＬＥ通信が可能となる。
【００３９】
次に、ＢＬＥペアリングが完了すると、通信範囲制限装置１のデバイス接続部７５は、ステップＳ４において、Ｗｉ−Ｆｉアライアンスで規格化された無線ＬＡＮ接続を容易化するＷＰＳ方式のＰＩＮコード（固有識別情報）を、ＢＬＥ通信により、スマートフォン２に送信する。また、通信範囲制限装置１のデバイス接続部７５は、ステップＳ６において、無線ＬＡＮＡＰ部１６に対して、スマートフォン２に送信したＰＩＮコードを転送し、ＷＰＳ方式の通信開始準備指示を行う。通信範囲制限装置１の無線ＬＡＮＡＰ部１６は、ステップＳ８において、スマートフォン２に送信したＰＩＮコードを用いてＷＰＳ方式のセットアップを行う。
【００４０】
一方、通信範囲制限装置１からＷＰＳ方式のＰＩＮコードを受信したスマートフォン２のＢＬＥ通信部３２は、ステップＳ５において、受信したＰＩＮコードを無線ＬＡＮ通信部３１に転送し、ＷＰＳ方式の通信開始準備指示を行う。無線ＬＡＮ通信部３１は、ステップＳ７において、通信範囲制限装置１から転送されたＰＩＮコードを用いてＷＰＳ方式のセットアップを行う。これにより、ステップＳ９において、スマートフォン２及び通信範囲制限装置１が、ＰＩＮコードを用いたＷＰＳ方式によりＷｉ−Ｆｉ接続（無線ＬＡＮ接続）される。
【００４１】
このように、無線ＬＡＮ通信システムは、スマートフォン２が通信範囲制限装置１のＢＬＥ通信エリア６内に位置した際、自動的にＷｉ−Ｆｉ接続（無線ＬＡＮ接続）が完了する。このため、ユーザの無線ＬＡＮに対する設定知識及び面倒なＰＩＮコードの入力操作等を不要とすることができる。また、ＢＬＥ通信においては、暗号化された情報が各機器間で送受信されるため、安全性を確保したうえでＰＩＮコードの送受信を行うことができる。
【００４２】
次に、スマートフォン２のＢＬＥ通信制御部８３及び通信範囲制限装置１のＢＬＥ通信制御部７９は、新たなデバイスの接続を可能とするために、ステップＳ１０において、一旦、ＢＬＥ通信を切断する。その後、通信範囲制限装置１のデバイス接続部７５は、ステップＳ１１において、ステップＳ１で説明したように、ＢＬＥ通信エリア６を示す通信範囲情報を含むアドバタイズメントパケットを送信する。そして、通信範囲制限装置１のデバイス接続部７５は、上述のようにＢＬＥ通信により、ＢＬＥ通信エリア６に位置しているスマートフォン２等のデバイスと、無線ＬＡＮ通信回線の確立を図る。
【００４３】
（プリンタ装置に対する基本的な接続動作）
次に、図１０は、無線ＬＡＮ通信エリア５のＢＬＥ通信エリア６内に位置するプリンタ装置３が、無線ＬＡＮ通信回線を確立する流れを示すシーケンス図である。周辺機器となるプリンタ装置３は、印刷を依頼するスマートフォン２等のデバイスから印刷の依頼を受けることで、有効に機能するデバイスである。このため、プリンタ装置３との間で無線ＬＡＮ通信を確立する場合、プリンタ装置３を制御するスマートフォン２等が、予め無線ＬＡＮに接続済みであることが好ましい。図１０のシーケンス図は、スマートフォン２が、無線ＬＡＮに接続済みであることを前提としている（図９の説明を参照）。そして、図１０のシーケンス図は、図９のステップＳ１０において、スマートフォン２と通信範囲制限装置１との間のＢＬＥ通信が一旦切断され、アドバタイズメントパケットの送信が可能となることで、ステップＳ２１からの処理が開始される。
【００４４】
プリンタ装置３は、据え置き型の機器であり、通信範囲制限装置１のＢＬＥ通信エリア６内に設けられている。プリンタ装置３は、ステップＳ２１において、上述の３つのアドバタイズメントチャネルを介して、スマートフォン２等の印刷の依頼を行うデバイスが、無線ＬＡＮに接続されたか否かを問うための接続問い合わせ情報を含むアドバタイズメントパケットを、ＢＬＥ通信部４８を介して通信範囲制限装置１に定期的に送信する。図６に示した通信範囲制限装置１の周辺機器接続部７６は、ステップＳ２２において、印刷の依頼を行うデバイスの接続の有無を示す応答を、ＢＬＥ通信部１７を介してプリンタ装置３に送信する。
【００４５】
スマートフォン２等、印刷の依頼を行うデバイスが、無線ＬＡＮに接続された場合、通信範囲制限装置１の周辺機器接続部７６及びプリンタ装置３のＢＬＥ通信部４８は、ステップＳ２３において、ＢＬＥ通信のペアリング処理（ＢＬＥペアリング）を行う。これにより、プリンタ装置３と通信範囲制限装置１との間でＢＬＥ通信が可能となる。
【００４６】
次に、ＢＬＥペアリングが完了すると、通信範囲制限装置１の周辺機器接続部７６は、ステップＳ２４において、Ｗｉ−Ｆｉアライアンスで規格化された無線ＬＡＮ接続を容易化するＷＰＳ方式のＰＩＮコードをプリンタ装置３に送信する。また、通信範囲制限装置１は、ステップＳ２６において、プリンタ装置３に送信したＰＩＮコードを無線ＬＡＮＡＰ部１６に転送し、ＷＰＳ方式の通信開始準備指示を行う。通信範囲制限装置１の無線ＬＡＮＡＰ部１６は、ステップＳ２８において、プリンタ装置３に送信したＰＩＮコードを用いてＷＰＳ方式のセットアップを行う。
【００４７】
一方、通信範囲制限装置１からＷＰＳ方式のＰＩＮコードを受信したプリンタ装置３のＢＬＥ通信部４８は、ステップＳ２５において、受信したＰＩＮコードを無線ＬＡＮ通信部４７に転送し、ＷＰＳ方式の通信開始準備指示を行う。無線ＬＡＮ通信部４７は、ステップＳ２７において、ＢＬＥ通信部４８から転送されたＰＩＮコードを用いてＷＰＳ方式のセットアップを行う。これにより、ステップＳ２９において、プリンタ装置３及び通信範囲制限装置１が、ＰＩＮコードを用いたＷＰＳ方式によりＷｉ−Ｆｉ接続（無線ＬＡＮ接続）される。
【００４８】
次に、プリンタ装置３のＢＬＥ通信部４８及び通信範囲制限装置１のＢＬＥ通信部１７は、新たなデバイスの接続を可能とするために、ステップＳ３０において、一旦、ＢＬＥ通信を切断する。その後、プリンタ装置３のＢＬＥ通信部４８は、ステップＳ３１において、ステップＳ２１で説明したように、接続問い合わせ情報を含むアドバタイズメントパケットを送信する。そして、通信範囲制限装置１は、印刷を依頼するデバイスが無線ＬＡＮに接続された際に、上述のようにＢＬＥ通信により、ＢＬＥ通信エリア６に位置しているプリンタ装置３と、無線ＬＡＮ通信回線の確立を図る。
【００４９】
（印刷動作）
次に、図１１のフローチャートに、無線ＬＡＮに接続されたスマートフォン２からプリンタ装置３を遠隔操作して印刷物を印刷する流れを示す。上述のように無線ＬＡＮ内において、スマートフォン２及びプリンタ装置３が無線ＬＡＮ通信部３１，４７を介して相互に接続されると、スマートフォン２でプリンタ装置３を遠隔操作することが可能となる。
【００５０】
スマートフォン２でプリンタ装置３を遠隔操作する場合、ユーザは、スマートフォン２のＲＯＭ２２等の記憶部に記憶されている印刷アプリケーションプログラムを起動操作する。印刷アプリケーションプログラムが起動操作されると、図７に示すスマートフォン２の印刷依頼部８１は、ステップＳ４１において、無線ＬＡＮ通信制御部８２及び無線ＬＡＮ通信部３１を介してプリンタ装置３に印刷要求を行う。図８に示すプリンタ装置３の印刷部８５は、印刷要求を受信すると、ステップＳ４２において、無線ＬＡＮ通信部４７を介して、スマートフォン２に対し、印刷に用いるデバイスの問い合わせを行う。ユーザは、スマートフォン２に記憶されているデータを印刷する場合は、印刷に用いるデバイスはスマートフォン２であることを、無線ＬＡＮ通信により、プリンタ装置３に通知する。または、ユーザは、プロジェクタ装置４で投影している画像等を印刷する場合は、印刷に用いるデバイスはプロジェクタ装置４であることを、無線ＬＡＮ通信により、プリンタ装置３に通知する。
【００５１】
次に、ステップＳ４３では、プリンタ装置３の印刷部８５が、無線ＬＡＮ通信により、スマートフォン２に対して、印刷するデータの問い合わせを行う。ユーザは、スマートフォン２に記憶されている画像又はテキスト等のデータを印刷する場合、印刷するデータは、スマートフォン２に記憶されているデータであることを、無線ＬＡＮ通信により、プリンタ装置３に通知する。または、ユーザは、プロジェクタ装置４で投影している画像等が印刷するデータである場合は、印刷するデータはプロジェクタ装置４で投影されているデータであることを、無線ＬＡＮ通信により、プリンタ装置３に通知する。最後に、プリンタ装置３の印刷部８５は、ステップＳ４４において、無線ＬＡＮ通信により、ユーザに指定されたデバイス（スマートフォン２又はプロジェクタ装置４）から、ユーザに指定されたデータを取得して印刷を実行する。
【００５２】
（デバイスの切断動作）
次に、図１２は、ＢＬＥ通信エリア６内でプリンタ装置３に無線ＬＡＮ接続されているスマートフォン２が、ＢＬＥ通信エリア６外に移動した際に、無線ＬＡＮ通信回線（及びＢＬＥ通信回線）が切断される流れを示すシーケンス図である。ステップＳ５１では、上述のようにＢＬＥ通信エリア６に対応する通信範囲を示す通信範囲情報が、通信範囲制限装置１のＢＬＥ通信部１７からスマートフォン２にＢＬＥ通信により送信される。スマートフォン２は、ＧＰＳ（Global  Positioning  System）等により自機で検出した自機位置と、通信範囲情報で示されるＢＬＥ通信エリア６とを比較する。そして、スマートフォン２は、自機位置がＢＬＥ通信エリア６外となったことを検出した際に、ステップＳ５２において、無線ＬＡＮ通信部３１に対して無線ＬＡＮの切断指示（Ｗｉ−Ｆｉ切断指示）を行う。
【００５３】
なお、この例では、通信範囲制限装置１側からスマートフォン２に対して通信範囲情報を送信し、スマートフォン２が、自機の現在位置と通信範囲情報で示されるＢＬＥ通信エリア６とを比較して、ＢＬＥ通信エリア６に対する離脱の有無を検出することとした。しかし、スマートフォン２がＧＰＳ等で検出した自機の現在位置を通信範囲制限装置１にＢＬＥ通信で送信し、通信範囲制限装置１が、スマートフォン２の現在位置とＢＬＥ通信エリア６とを比較して、ＢＬＥ通信エリア６に対するスマートフォン２等のデバイスの離脱の有無を検出してもよい。この場合、図６に示す離脱検知部７７が、ＢＬＥ通信エリア６に対するスマートフォン２等のデバイスの離脱の有無を検知することとなる。
【００５４】
スマートフォン２の無線ＬＡＮ通信部３１は、ＢＬＥ通信部３２から無線ＬＡＮの切断が指示されると、ステップＳ５３において、無線ＬＡＮ通信を用いて、通信範囲制限装置１に対して無線ＬＡＮの切断要求を行う。通信範囲制限装置１は、無線ＬＡＮの切断要求を受信すると、ステップＳ５４に示すように、無線ＬＡＮの切断要求を行ったデバイスに関連する無線ＬＡＮ通信回線を切断する。これにより、スマートフォン２のみならず、プリンタ装置３の無線ＬＡＮ通信回線も切断される。
【００５５】
なお、無線ＬＡＮ通信回線の切断後に、再度、無線ＬＡＮ通信回線を確立する場合、通信範囲制限装置１は、ＰＩＮコードを新たなものに更新する。このため、ＢＬＥ通信エリア６外に移動したスマートフォン２が、再度、ＢＬＥ通信エリア６内に移動した際には、前回とは異なるＰＩＮコードを用いて無線ＬＡＮ通信回線が確立されることとなる。
【００５６】
このように、無線ＬＡＮ通信システムは、スマートフォン２がＢＬＥ通信エリア６外に移動した際に、自動的に無線ＬＡＮ通信回線及びＢＬＥ通信回線を切断することができる。このため、スマートフォン２が無線ＬＡＮに接続可能な範囲を、一定の範囲内（ＢＬＥ通信エリア６内）に限定することができる。また、ＢＬＥ通信エリア６外に移動したスマートフォン２のみならず、スマートフォン２と通信を行っていたプリンタ装置３の無線ＬＡＮ通信回線も切断する。このため、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。すなわち、例えば社内ＬＡＮ等の構内網への接続許可を持たないユーザに対しても、構内網の安全性を確保したうえで、ユーザのデバイスを、一時的かつ簡単に、構内網に通信接続させて使用させることができる。
【００５７】
また、無線ＬＡＮ通信回線の切断後に、再度、無線ＬＡＮ通信回線を確立する際には、ＰＩＮコードを新たなものに更新する。このため、ＢＬＥ通信エリア６外に移動したスマートフォン２が、前回の接続時に用いていたＰＩＮコードを再利用して、他のデバイスの無線ＬＡＮ通信の傍受を図る不正行為を防止できる。
【００５８】
また、ＢＬＥ通信エリア６外にスマートフォン２が移動した際には、スマートフォン２のみならず、スマートフォン２と通信を行っていたプリンタ装置３の無線ＬＡＮ通信回線も切断する。これにより、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。
【００５９】
なお、無線ＬＡＮ通信回線の確立時に、ＢＬＥ通信により、通信範囲制限装置１からスマートフォン２等のデバイスに配信するＷＰＳ方式のＰＩＮコードの代わりに、公開鍵を配信してもよい。ＷＰＳ方式のＰＩＮコードの代わりに、例えばディフィーヘルマン鍵交換法（Diffie-Hellman  key  exchange  method）による公開鍵を配信して、無線ＬＡＮ通信回線を確立してもよい。この場合、ＢＬＥ通信エリア６内で公開鍵の送受信が行われるため、無線ＬＡＮの管理者の目が届く範囲内で公開鍵の送受信が行われる。このため、公開鍵を送信するデバイス、及び、公開鍵を受信するデバイス及びユーザ等が明確である。従って、不正ユーザ及び不正デバイス等の、いわゆる成りすましによる不正な通信を防止できる。また、一旦確立された無線ＬＡＮ通信回線が切断され、再度、無線ＬＡＮ通信回線が確立される際には、上述のＰＩＮコードの場合と同様に、前回とは異なる新たな公開鍵を用いることが好ましいであろう。
【００６０】
また、音声（空間を伝搬する音響出力）で、通信範囲制限装置１からスマートフォン２又はプリンタ装置３等のデバイスに対して、ＰＩＮコード又は公開鍵を伝達してもよい。この場合、音響出力は、ＢＬＥ通信で用いられる電波よりも空間の伝達性が悪いため、各デバイス間で音声の送受が可能な範囲に、ＰＩＮコード等の送受信範囲を制限できる。このため、システム管理者等の目の届く狭い範囲でＰＩＮコード等の送受信が行われる。従って、上述の不正ユーザ及び不正デバイス等の、いわゆる成りすましによる不正な通信を、さらに強力に防止できる。
【００６１】
また、通信範囲情報の代わりに、ＢＬＥ通信部１７の受信信号強度（ＲＳＳＩ）を用いて、ＢＬＥ通信エリア６内のデバイスの有無を監視してもよい。また、退場ＲＳＳＩエリア及び入場ＲＳＳＩエリアとみなすＢＬＥ通信の受信信号強度を、所望の受信信号強度に設定することで、ＢＬＥ通信エリア６の範囲内において、無線ＬＡＮに接続可能な範囲（入場ＲＳＳＩエリアの範囲）を動的に調整できる。
【００６２】
以上、無線ＬＡＮ通信エリア内にＢＬＥ通信エリアが無線ＬＡＮ通信エリアに包含されている例を示したが、例えば、図１３に示すように、ＢＬＥ通信エリアの少なくとも一部の領域が無線ＬＡＮ通信エリア外に位置する状態であってもよい。図１３において、無線ＬＡＮ通信回線を確立できるエリアは、ＢＬＥ通信エリア６’となる。無線ＬＡＮ通信エリア外のＢＬＥ通信エリア７では、ＢＬＥ通信により通信範囲情報を受信可能であるが、そもそも無線ＬＡＮ通信を行うためのセットアップができないためである。図１３に示すような状態は、例えば、無線ＬＡＮＡＰ部１６とＢＬＥ通信部１７が異なる位置に配置されている場合や、通信の指向性により通信可能範囲が一方向に突出しているような場合に考えられる。
【００６３】
（実施の形態）
次に、このような基本構成を有する無線ＬＡＮ通信システムの実施の形態を説明する。
実施の形態の無線ＬＡＮ通信システムは、同じ無線ＬＡＮの通信範囲内に存在するブルートゥースの通信範囲で制限された複数のアドホックなネットワークを、一つの制限された通信範囲として、通信範囲の拡大を可能とする。また、ブルートゥースの各通信範囲間で通信を可能とする。さらに、拡大されたブルートゥースの通信範囲、又は、離れたブルートゥースの通信範囲外に移動（退場）した場合に、現在のブルートゥースの通信範囲を判断して無線ＬＡＮ通信を切断処理することで、セキュリティを保持する。
【００６４】
図１４は、実施の形態の無線ＬＡＮ通信システムのシステム構成図である。この図１４において、無線ＬＡＮ通信エリア５は、通信範囲制限装置１０６の無線ＬＡＮＡＰ部１６により形成されている。また、無線ＬＡＮ通信エリア５内のＢＬＥ通信エリア６ａは、通信範囲制限装置１０６のＢＬＥ通信部１７で形成されている。また、無線ＬＡＮ通信エリア５内における他のＢＬＥ通信エリアであるＢＬＥ通信エリア６ｂ〜６ｄは、それぞれ例えばスマートフォン等のスマートデバイス１０７〜１０９により形成されている。
【００６５】
スマートデバイス１０９で形成されるＢＬＥ通信エリア６ｄ内には、デバイス１１８が位置している。スマートデバイス１０８で形成されるＢＬＥ通信エリア６ｃ内には、デバイス１１８が位置している。スマートデバイス１０７で形成されるＢＬＥ通信エリア６ｂ内には、デバイス１１４、１１６、１１７が位置している。通信範囲制限装置１０６で形成されるＢＬＥ通信エリア６ａ内には、デバイス１１２、１１５が位置している。
【００６６】
また、デバイス１１１は、各ＢＬＥ通信エリア６ａ〜６ｄのエリア外であるが、無線ＬＡＮ通信エリア５内に位置している。これに対して、デバイス１１０は、無線ＬＡＮ通信エリア５のエリア外に位置している。なお、各ＢＬＥ通信エリア６ｂ〜６ｄは、スマートデバイス１０９、１０７、１０８以外のデバイス１１８、１１３、１１６、１１７、１１４が行ってもよい。
【００６７】
ＢＬＥ通信エリア６ａ内では、通信範囲制限装置１０６、デバイス１１５及びデバイス１１２が、相互にＢＬＥ通信を行うようになっている。ＢＬＥ通信エリア６ｂ内では、スマートデバイス１０７、デバイス１１３、１１６、１１７が相互にＢＬＥ通信を行うようになっている。ＢＬＥ通信エリア６ｃ内では、スマートデバイス１０８及びデバイス１１４が相互にＢＬＥ通信を行うようになっている。ＢＬＥ通信エリア６ｄ内では、スマートデバイス１０９及びデバイス１１８が相互にＢＬＥ通信を行うようになっている。
【００６８】
なお、ＢＬＥ通信エリアを確立していないデバイス１１１は、無線ＬＡＮ通信エリア５内に位置していても、無線ＬＡＮ通信及びＢＬＥ通信を行うことはできない。また、無線ＬＡＮ通信エリア５外に位置しているデバイス１１０も、無線ＬＡＮ通信及びＢＬＥ通信を行うことはできない。
【００６９】
また、ＢＬＥ通信エリア６ａ〜６ｃは、同じ通信範囲として設定されている。これに対して、ＢＬＥ通信エリア６ｄは、ＢＬＥ通信エリア６ａ〜６ｃとは異なる通信範囲として設定されている。ＢＬＥ通信エリア６ａのデバイス１１２は、同じ通信範囲として設定されているＢＬＥ通信エリア６ｂのスマートデバイス１０７及び各デバイス１１３、１１６、１１７との間のＢＬＥ通信を行うことができる。しかし、ＢＬＥ通信エリア６ａのデバイス１１２は、同じ通信範囲として設定されていないＢＬＥ通信エリア６ｄのスマートデバイス１０９及び各デバイス１１８との間でＢＬＥ通信を行うことはできない。つまり、同じ通信範囲として設定されているＢＬＥ通信エリア内に位置する通信制御装置、スマートデバイス又はデバイスは、同じ通信範囲として設定された異なるＢＬＥ通信エリア内に位置する通信制御装置、スマートデバイス又はデバイスとＢＬＥ通信を行うことができる。
【００７０】
図１５は、ＢＬＥ通信エリア６ａ内に位置したデバイス１１２が、無線ＬＡＮ通信回線を確立する動作を示すタイムチャートである。まず、ステップＳ６１では、ＢＬＥ通信エリア６ａ内に移動したデバイス１１２が、通信範囲制限装置１０６から定期的又は連続的に送信される、ＢＬＥ通信エリア６ａを示す通信範囲情報を、ＢＬＥ通信で受信する。
【００７１】
デバイス１１２は、ステップＳ６２において、通信範囲制限装置１０６のＢＬＥ通信部１７に対して、無線ＬＡＮ通信のセットアップ要求を行う。これにより、ステップＳ６３において、通信範囲制限装置１０６のＢＬＥ通信部１７が、無線ＬＡＮ通信のセットアップ情報をデバイス１１２に送信する。デバイス１１２は、ステップＳ６４において、通信範囲制限装置１０６の無線ＬＡＮＡＰ部１６に対して、無線ＬＡＮ通信のセットアップ指示を行う。無線ＬＡＮＡＰ部１６は、セットアップ指示に従って、デバイス１１２に対する無線ＬＡＮのセットアップを行う。また、デバイス１１２は、ステップＳ６５において、セットアップ情報を用いて無線ＬＡＮ通信のセットアップを行う。
【００７２】
次に、デバイス１１２は、ステップＳ６７において、通信範囲制限装置１０６の無線ＬＡＮＡＰ部１６から、無線ＬＡＮ通信により、通信範囲情報リストを取得する。後述するが、この実施の形態の無線ＬＡＮ通信システムの場合、無線ＬＡＮ通信エリア５内に形成されている複数のＢＬＥ通信エリアを、一纏めのＢＬＥ通信エリアとして設定可能となっている。通信範囲情報リストは、一つ又は複数で形成されるＢＬＥ通信エリアを示す情報となっている。ここでいう一纏めのＢＬＥ通信エリアとして設定とは、前記同じ通信範囲（共通の通信範囲）として設定することを意味する。
【００７３】
次に、デバイス１１２は、ステップＳ６８、ステップＳ７０及びステップＳ７２において、ＢＬＥ通信エリア６ｂ（第２の通信範囲）〜６ｄ（第４の通信範囲）内に位置するデバイスを示すデバイスリストの取得要求を、通信範囲情報リストに基づいて、無線ＬＡＮＡＰ部１６対して行う。そして、デバイス１１２は、ステップＳ６９、ステップＳ７１及びステップＳ７３において、各ＢＬＥ通信エリア６ｂ〜６ｄ内に位置するデバイスを示すデバイスリストを取得する。
【００７４】
デバイス１１２は、デバイスリストで示される他のデバイスとの間で通信が可能となる。また、ＢＬＥ通信エリア６ｂ（第２の通信範囲）〜６ｄ（第４の通信範囲）内に位置するデバイスを示す各デバイスリストは、一つのデバイスリストにまとめて、通信範囲制限装置１０６が配信してもよい。
【００７５】
図１６は、ＢＬＥ通信エリア６ｂ内に位置するスマートデバイス１０７及びデバイス１１３の間で、無線ＬＡＮ通信回線を確立する動作を示すタイムチャートである。デバイス１１３がＢＬＥ通信エリア６ｂ内に位置した際、スマートデバイス１０７からデバイス１１３に対して、ＢＬＥ通信により、上述の通信範囲情報が送信される。スマートデバイス１０７は、デバイス１１３からの無線ＬＡＮ通信回線のセットアップ要求を受信すると（ステップＳ８２）、無線ＬＡＮ通信回線のセットアップ情報をデバイス１１３に送信する（ステップＳ８３）。
【００７６】
デバイス１１３は、セットアップ情報を用いて、通信範囲制限装置１０６に対して無線ＬＡＮ通信回線のセットアップ指示を行う。これにより、デバイス１１３及び通信範囲制限装置１０６において、それぞれ無線ＬＡＮのセットアップが行われる（ステップＳ８５、ステップＳ８６）。
【００７７】
次に、デバイス１１３は、ステップＳ８７において、通信範囲制限装置１０６の無線ＬＡＮＡＰ部１６から、現在、無線ＬＡＮ通信エリア５内で設定されているＢＬＥ通信エリアを示す通信範囲情報リストを取得する。デバイス１１３は、ステップＳ８８、ステップＳ９０及びステップＳ９２において、ＢＬＥ通信エリア６ｂ（第２の通信範囲）〜６ｄ（第４の通信範囲）内に位置するデバイスを示すデバイスリストの取得要求を、通信範囲情報リストに基づいて、無線ＬＡＮＡＰ部１６対して行う。そして、デバイス１１３は、ステップＳ８９、ステップＳ９１及びステップＳ９３において、各ＢＬＥ通信エリア６ｂ〜６ｄ内に位置するデバイスを示すデバイスリストを取得する。
【００７８】
デバイス１１３は、デバイスリストで示される他のデバイスとの間で通信が可能となる。また、ＢＬＥ通信エリア６ｂ（第２の通信範囲）〜６ｄ（第４の通信範囲）内に位置するデバイスを示す各デバイスリストは、一つのデバイスリストにまとめて、通信範囲制限装置１０６が配信してもよい。
【００７９】
次に、図１７は、ＢＬＥ通信範囲内に限定されて確立された無線ＬＡＮ通信回線の切断処理の流れを示すタイムチャートである。この図１７において、デバイス１１２は、上述のように同じ通信エリアとして設定されているＢＬＥ通信エリア６ａ〜６ｃのエリア内において、ＢＬＥ通信エリア６ａ〜６ｃのエリア内であることを示す通信範囲情報を、定期的又は連続的に受信している（ステップＳ１０１〜ステップＳ１０３）。
【００８０】
デバイス１１２は、ＢＬＥ通信エリア６ａ〜６ｃからの通信範囲情報を受信できなくなった場合、又は、ＢＬＥ通信エリア６ａ〜６ｃからの通信範囲情報に基づいて、ＢＬＥ通信エリア６ａ〜６ｃ外に移動したことを検出すると、通信範囲制限装置１０６の無線ＬＡＮＡＰ部１６に対して、無線ＬＡＮ通信回線の切断指示を行う（ステップＳ１０４）。無線ＬＡＮＡＰ部１６は、切断指示に従って、無線ＬＡＮ通信回線を切断処理し（ステップＳ１０５）、デバイス１１２に対して無線ＬＡＮ通信回線の切断指示を行う（ステップＳ１０６）。デバイス１１２は、切断指示に従って、無線ＬＡＮ通信回線を切断処理する（ステップＳ１０７）。このように、デバイス１１２にＢＬＥ通信エリア６ａ〜６ｃ内で限定的に許可されている無線ＬＡＮ通信回線は、デバイス１１２がＢＬＥ通信エリア６ａ〜６ｃ外に移動することで切断される。
【００８１】
次に、図１８に、実施の形態の無線ＬＡＮ通信システムの具体的なシステム構成図を示す。一例ではあるが、図１８に示す無線ＬＡＮ通信システムの場合、通信範囲制限装置１、スマートフォン等のスマートデバイス２、デバイスとしてプリンタ装置３及びデバイスとしてプロジェクタ装置４を有している。また、図１８に示す無線ＬＡＮ通信システムの場合、デバイスとしてのＢＬＥ発信機１００を有している。
【００８２】
通信範囲制限装置１は、例えば無線ＬＡＮルータ等の、無線ＬＡＮのアクセスポイントを形成する無線ＬＡＮＡＰ部１６及び極低電力でＢＬＥ（Bluetooth（登録商標）  Low  Energy）通信を行うＢＬＥ通信部１７を有している。通信範囲制限装置１は、ローカルエリアネットワークの一例として、図１８中、実線の楕円で示す無線ＬＡＮ通信エリア５を形成する。また、通信範囲制限装置１は、無線ＬＡＮ通信エリア５内における、無線ＬＡＮ通信エリア５よりも狭いエリア内においてのみ、各デバイスの通信を可能とする。例えば、通信範囲制限装置１は、無線ＬＡＮ通信エリア５内における、無線ＬＡＮ通信エリア５よりも狭い、パーソナルエリアネットワーク（ＰＡＮ）内においてのみ、各デバイスの通信を可能とする。
【００８３】
一例として、パーソナルエリアネットワークとしては、極低電力でＢＬＥ（Bluetooth（登録商標）  Low  Energy）通信を行うブルートゥース（登録商標）ＰＡＮを用いることができる。図１８中、点線の楕円に示す通信範囲が、ブルートゥース（登録商標）ＰＡＮによるＢＬＥ通信エリア６ｅ〜６ｇである。なお、パーソナルエリアネットワークはブルートゥースＰＡＮであることとして説明を進める。しかし、ブルートゥースの代わりに、例えば非接触無線（NFC：Near  Field  Communications）、ミリ波無線通信、ＱＲコード（登録商標）、可視光、環境音、又は超音波を用いてもよい。
【００８４】
また、通信範囲制限装置１は、通信範囲情報リストのデータベース（ＤＢ）である第１のＤＢ１０２、現在、無線ＬＡＮ内で通信接続されているスマートデバイスを示す接続スマートデバイスリストのＤＢである第２のＤＢ１０３を有している。また、通信範囲制限装置１は、現在、無線ＬＡＮ内で通信接続されている周辺機器を示す接続周辺機器リストのＤＢである第３のＤＢ１０４を有している。接続周辺機器リストには、ＢＬＥ通信エリア６ｆ又はＢＬＥ通信エリア６ｇ等のエリア内に位置する一つ又は複数の周辺機器が記憶されている。また、通信範囲制限装置１は、スマートデバイスの接続機能、周辺機器の接続機能、各デバイスの離脱検知機能を有している。
【００８５】
以下の表１に、通信範囲情報リストの一例を示す。
【００８６】
【表１】
2017085457.tif 000003
【００８７】
通信範囲情報リストは、無線ＬＡＮ通信エリア５内において、一つのデバイスにより形成されているＢＬＥ通信エリアを示す情報のリストとなっている。または、通信範囲情報リストは、複数のデバイスによりそれぞれ形成されているＢＬＥ通信エリアを関連付けることで形成される一纏まりのＢＬＥ通信エリアを示す情報のリストとなっている。一纏まりとするＢＬＥ通信エリアは、管理者の指定により、設定部の一例である通信範囲制限装置１が設定してもよいし、通信範囲の大きさ又は各ＢＬＥ通信エリア間の距離等に応じて、通信範囲制限装置１が自動的に設定してもよい。
【００８８】
表１に示す通信範囲情報リストは、通信範囲制限装置１が、第１のデバイス〜第ｎのデバイス（ｎは２以上の自然数）がそれぞれ形成するＢＬＥ通信エリアを、一纏まりのＢＬＥ通信エリアとして設定した場合の通信範囲情報リストを示している。この例の場合、通信範囲情報リストとしては、ＢＬＥ通信範囲を形成しているデバイスを示す情報、ＢＬＥ通信範囲へのアクセス条件を示す情報及びＢＬＥ通信範囲を形成しているデバイスのブルートゥースアドレスが記憶されている。デバイスのブルートゥースアドレスは、デバイスの通信範囲退場を特定する識別子として用いられる。また、通信範囲情報リストには、現在、無線ＬＡＮエリア５内で各デバイスが形成しているＢＬＥ通信範囲の閾値、及び、一纏まりとされたＢＬＥ通信範囲内でのみ使用可能な周辺機器の接続周辺機器リストの識別情報（リストＩＤ）が記憶されている。
【００８９】
各デバイスは、このような通信範囲情報リストを、送信部の一例であるＢＬＥ通信部１７から受信する。各デバイスは、通信範囲情報リストの情報に基づいて、ＢＬＥ通信範囲に対する入退場及びＢＬＥ通信範囲内での動作を判断する。また、各デバイスは、リストＩＤを指定することで接続周辺機器リストを取得し、取得した接続周辺機器リストに基づいて、所望のデバイスにアクセスし操作する。なお、各デバイスのＢＬＥ通信範囲は、重なる部分が存在せず、各ＢＬＥ通信範囲が離れていてもよい。
【００９０】
以下の表２に、接続スマートデバイスリストの一例を示す。
【００９１】
【表２】
2017085457.tif 000004
【００９２】
一例ではあるが、接続スマートデバイスリストには、ＢＬＥ通信エリアに対するデバイスの入退場を特定する識別子として、各デバイスのブルートゥースアドレスが記憶されている。また、接続スマートデバイスリストには、各デバイスの種別を示す種別情報、各デバイスのＩＰアドレス及び各デバイスの権限を示す権限情報が記憶されている。
【００９３】
以下の表３に、接続周辺機器リストの一例を示す。
【００９４】
【表３】
2017085457.tif 000005
【００９５】
一例ではあるが、接続周辺機器リストは、通信範囲制限装置１により設定された一纏まりのＢＬＥ通信範囲内でのみ使用可能な周辺機器を示すリストである。接続周辺機器リストは、通信範囲制限装置１を中心とした無線ＬＡＮ通信エリア５内に存在する各ＢＬＥ通信エリアに対応してそれぞれ設けられる。接続周辺機器リストには、ＢＬＥ通信エリアに対するデバイスの入退場を特定する識別子としてデバイスのブルートゥースアドレス、プリンタ装置又はプロジェクタ装置等のデバイスの種別を示す種別情報が記憶される。また、接続周辺機器リストには、各デバイスのＩＰアドレス及び接続するデバイスの制御を行うための設定情報が記憶される。
【００９６】
すなわち、各デバイスのブルートゥースアドレス及びＩＰアドレスは、無線ＬＡＮ通信エリア５内のデバイスが、無線ＬＡＮ通信エリア５内において、他のデバイスと通信を行うためのアクセス情報の一例となっている。また、設定情報は、制御情報の一例であり、他のデバイスの所望の動作に対応する設定又は制御コマンド等となっている。
【００９７】
各接続周辺機器リストには、それぞれリストＩＤが付されている（表１参照）。デバイスは、通信範囲制限装置１との間で無線ＬＡＮ通信回線が確立された際に、リストＩＤを指定することで接続周辺機器リストを取得する。ユーザは、デバイスを介して取得した接続周辺機器リストで示される接続可能な周辺機器の中から、所望の周辺機器を選択して操作する。
【００９８】
次に、スマートフォン２は、図１８に示すように無線ＬＡＮ通信部３１及びＢＬＥ通信部３２を有している。また、スマートフォン２は、操作可能な周辺機器を示す操作機器リストのＤＢである第４のＤＢ１０５を有している。また、スマートフォン２は、プリンタ装置３への印刷依頼機能及びプロジェクタ装置４への投影依頼機能を有している。同様に、プリンタ装置３は、無線ＬＡＮ通信部４７及びＢＬＥ通信部４８の他、プリンタ機能及びプリンタ制御機能を有している。
【００９９】
また、プロジェクタ装置４は、無線ＬＡＮ通信部６７及びＢＬＥ通信部６８の他、プロジェクタ機能及びプロジェクタ制御機能を有している。プロジェクタ装置４のＢＬＥ通信エリアは、図１８中、点線の楕円で示すＢＬＥ通信エリア６ｆとなっている。また、ＢＬＥ発信機１００は、ＢＬＥ通信部１０１を有している。ＢＬＥ発信機１００のＢＬＥ通信エリアは、図１８中、点線の楕円で示すＢＬＥ通信エリア６ｇとなっている。
【０１００】
図１９は、通信範囲制限装置１の機能ブロック図である。図２に示したＣＰＵ１１がＲＯＭ１２に記憶されている通信制御プログラムを実行することで、図１９に示す各機能が実現される。なお、この例では、図１９に示す各機能のうち、一部又は全部をハードウェアで実現してもよい。
【０１０１】
図１９において、通信範囲制限装置１は、デバイス接続部１１１、周辺機器接続部１１２、デバイス等の離脱検知部１１３、通信範囲情報リストの記憶制御部１１４及び接続スマートデバイスリストの記憶制御部１１５を有している。また、通信範囲制限装置１は、接続周辺機器リストの記憶制御部１１６、無線ＬＡＮ通信部１６及びＢＬＥ通信部１７を有している。
【０１０２】
図２０は、スマートフォン２の機能ブロック図である。図３に示したＣＰＵ２１がＲＯＭ２２に記憶されている通信制御プログラムを実行することで、図２０に示す各機能が実現される。なお、この例では、図２０に示す各機能のうち、一部又は全部をハードウェアで実現してもよい。
【０１０３】
図２０において、スマートフォン２は、プリンタ装置３への印刷依頼部１２１、第４のＤＢ１０５に対する操作機器リストの記憶制御部１２２及びプロジェクタ装置４に対する投影依頼部１２３を有している。また、スマートフォン２は、無線ＬＡＮ通信部３１及びＢＬＥ通信部３２を有している。
【０１０４】
図２１は、プリンタ装置３の機能ブロック図である。図４に示したＣＰＵ４１がＲＯＭ４２に記憶されている通信制御プログラムを実行することで、図２１に示す各機能が実現される。なお、この例では、図２１に示す各機能のうち、一部又は全部をハードウェアで実現してもよい。図２１において、プリンタ装置３は、印刷を行うハードウェアであるプリンタ部１２５を制御するプリンタ制御部１２６、無線ＬＡＮ通信部４７及びＢＬＥ通信部４８を有している。
【０１０５】
図２２は、プロジェクタ装置４の機能ブロック図である。図５に示したＣＰＵ６９がＲＡＭ６４に記憶されている通信制御プログラムを実行することで、図２２に示す各機能が実現される。なお、この例では、図２２に示す各機能のうち、一部又は全部をハードウェアで実現してもよい。図２２において、プロジェクタ装置４は、投影を行うハードウェアであるプロジェクタ部１２８を制御するプロジェクタ制御部１２９、無線ＬＡＮ通信部６７及びＢＬＥ通信部６８を有している。
【０１０６】
図２３は、スマートフォン２等のスマートデバイスが通信範囲制限装置１との間で無線ＬＡＮの通信接続を行う動作の流れを示すフローチャートである。まず、スマートフォン２が、通信範囲制限装置１のＢＬＥ通信エリア６ｅ内に移動すると、スマートフォン２のＢＬＥ通信部３２は、ステップＳ１１１において、通信範囲制限装置１から定期的又は連続的に送信されているＢＬＥ通信のＲＳＳＩ閾値及びＲＳＳＩ値を受信する。
【０１０７】
次に、ステップＳ１１２では、スマートフォン２のＢＬＥ通信部３２が、ＲＳＳＩ閾値に対する現在のＲＳＳＩ値を比較することで、通信範囲制限装置１のＢＬＥ通信エリア６ｅ内に位置しているか否かを判別する。ＢＬＥ通信エリア６ｅ内に位置していないと判別した場合（ステップＳ１１２：Ｎｏ）、そのまま図２３のフローチャートの処理が終了となる。
【０１０８】
これに対して、ＢＬＥ通信エリア６ｅ内に位置していると判別した場合（ステップＳ１１２：Ｙｅｓ）、スマートフォン２は、ステップＳ１１３において、通信範囲制限装置１に対して、無線ＬＡＮ（Ｗｉ−Ｆｉ通信回線）の接続要求を行う。
【０１０９】
通信範囲制限装置１は、ステップＳ１１４において、無線ＬＡＮの接続要求を行ったスマートフォン２のブルートゥースアドレス等を接続スマートデバイスリスト（第２のＤＢ１０３：表２）に登録する。また、通信範囲制限装置１は、ステップＳ１１５において、ＢＬＥ通信にてＷＰＡ／ＷＰＡ２で接続する。その際、ディフィーヘルマン（Ｄｉｆｆｉｅ−Ｈｅｌｌｍａｎ）鍵交換による、公開鍵の交換が行われる。スマートフォン２及び通信範囲制限装置１は、ＢＬＥ通信により、公開鍵の交換を行う。そして、通信範囲制限装置１は、スマートフォン２のＩＰアドレスを自動設定する。これにより、スマートデバイスが無線ＬＡＮに接続される。
【０１１０】
次に、スマートフォン２は、ステップＳ１１６において、ＢＬＥ通信により、通信範囲制限装置１から通信範囲情報リスト（第１のＤＢ１０２：表１）を取得する。また、スマートフォン２は、ステップＳ１１７において、通信範囲情報リストのリストＩＤを指定することで、通信範囲情報リストで示されるＢＬＥ通信範囲（一つ又は複数を一纏まりとしたＢＬＥ通信範囲）で接続可能な周辺機器のリストである接続周辺機器リストを取得する（第３のＤＢ１０４：表３）を取得する。
【０１１１】
次に、スマートフォン２は、ステップＳ１１８において、通信範囲情報リストで示されるＢＬＥ通信エリアを形成しているデバイスを確認し、他にＢＬＥ通信エリアを形成しているデバイスが存在するか否かを判別する。すなわち、上述のように複数のＢＬＥ通信エリアが一纏まりのＢＬＥ通信エリアとして設定されている場合、この一纏まりのＢＬＥ通信エリアは、複数のデバイスで形成されている。このため、スマートフォン２は、ステップＳ１１８において、他にＢＬＥ通信エリアを形成しているデバイスが存在するか否かを判別する。
【０１１２】
ＢＬＥ通信エリアを形成している他のデバイスが存在しない場合（ステップＳ１１８：Ｎｏ）、スマートフォン２は、ステップＳ１２０に処理を進める。また、他のＢＬＥ通信エリアを形成している他のデバイスが存在する場合（ステップＳ１１８：Ｙｅｓ）、スマートフォン２は、ステップＳ１１９に処理を進める。
【０１１３】
ステップＳ１１９では、スマートフォン２が、他のデバイスが形成するＢＬＥ通信エリアに存在する接続周辺機器リスト（第３のＤＢ１０４：表３）を通信範囲制限装置１から取得する。そして、スマートフォン２は、取得したデバイスの接続周辺機器リストに基づいて、第４のＤＢ１０５に記憶されている操作機器リストを更新する。これにより、操作機器リストには、表３に示したように周辺機器のブルートゥースアドレス、周辺機器の種別、周辺機器のＩＰアドレス及び周辺機器の制御情報が記憶される。ユーザは、このような操作機器リストから選択した所望の周辺機器を、制御情報に基づいて操作する。
【０１１４】
次に、図２４は、無線ＬＡＮ通信回線の切断動作の流れを示すフローチャートである。スマートフォン２は、通信範囲制限装置１から取得した通信範囲情報リスト（表１）で示される各デバイスのＢＬＥ通信エリアの閾値と、現在のＲＳＳＩ値とを比較することで、現在、自機となるスマートフォン２が、一纏まりに設定されたＢＬＥ通信エリア内に位置しているか否かを監視している（ステップＳ１２１）。
【０１１５】
すなわち、例えば図１８に示すＢＬＥ通信エリア６ｅ〜６ｇが、一纏まりのＢＬＥ通信エリアに設定されていた場合、スマートフォン２は、図１８に示すＢＬＥ通信エリア６ｅの閾値と現在のＲＳＳＩ値とを比較することで、ＢＬＥ通信エリア６ｅ外に移動（退場）したか否かを判別する（ステップＳ１２２）。また、スマートフォン２は、図１８に示すＢＬＥ通信エリア６ｆの閾値と現在のＲＳＳＩ値とを比較することで、ＢＬＥ通信エリア６ｆ外に移動（退場）したか否かを判別する（ステップＳ１２３）。また、スマートフォン２は、図１８に示すＢＬＥ通信エリア６ｇの閾値と現在のＲＳＳＩ値とを比較することで、ＢＬＥ通信エリア６ｇ外に移動（退場）したか否かを判別する（ステップＳ１２４）。
【０１１６】
スマートフォン２は、各ＢＬＥ通信エリア６ｅ〜６ｇ内に位置していると判別した場合には（ステップＳ１２２．ステップＳ１２３．ステップＳ１２４：Ｎｏ）、そのまま図２４のフローチャートの処理を終了し、ＢＬＥ通信を継続する。
【０１１７】
これに対して、一纏まりとなっているＢＬＥ通信エリア６ｅ〜６ｇの外に移動（退場）したと判別した場合（ステップＳ１２２．ステップＳ１２３．ステップＳ１２４：Ｙｅｓ）、スマートフォン２は、通信範囲制限装置１に対して無線ＬＡＮの切断指示を行う（ステップＳ１２５）。これにより、通信範囲制限装置１は、スマートフォン２との間に確立されていた無線ＬＡＮを切断処理する（ステップＳ１２６）。
【０１１８】
また、通信範囲制限装置１は、切断処理したスマートフォン２を、接続スマートデバイスリスト（第２のＤＢ１０３：表２）から削除して更新する（ステップＳ１２７）。また、スマートフォン２は、通信範囲制限装置１の指示に従い、操作機器リスト１０５の接続周辺機器の情報を削除する。これにより、図２４のフローチャートの処理が終了となる。
【０１１９】
次に、図２５は、無線ＬＡＮの他の切断処理の流れを示すフローチャートである。図２４のフローチャートの例の場合、全てのＢＬＥ通信エリアからの退場が検出された場合に、無線ＬＡＮを切断する例であった。これに対して、図２５の例の場合、全てのＢＬＥ通信エリアに対する入場が検出されない場合に、無線ＬＡＮを切断する例である。
【０１２０】
すなわち、図２５のフローチャートのステップＳ１３１では、通信範囲制限装置１が、通信範囲制限装置１で形成しているＢＬＥ通信エリア６ｅに、スマートフォン２等のスマートデバイスが入場したか否かを判別する。ＢＬＥ通信エリア６ｅに入場している場合（ステップＳ１３１：Ｙｅｓ）、スマートデバイスは、通信範囲制限装置１よりＢＬＥ通信エリア６ｅのＲＳＳＩ閾値（ＲＳＳＩパラメータ）及び現在のＲＳＳＩ値を受信する（ステップＳ１３２）。スマートデバイスは、ＲＳＳＩ閾値（ＲＳＳＩパラメータ）及び現在のＲＳＳＩ値に基づいて、自機がＢＬＥ通信エリア６ｅ内に位置しているか否かを監視する（ステップＳ１３３）。
【０１２１】
次に、ステップＳ１３４において、スマートデバイスがプロジェクタ装置９のＢＬＥ通信エリア６ｆに入場したか否かを判別する。また、スマートデバイスがプロジェクタ装置９のＢＬＥ通信エリア６ｆに入場していない場合（ステップＳ１３４：Ｎｏ）、ステップＳ１３７において、スマートデバイスがＢＬＥ発信機１００のＢＬＥ通信エリア６ｇに入場したか否かを判別する。
【０１２２】
スマートデバイスがプロジェクタ装置９のＢＬＥ通信エリア６ｆに入場していた場合（ステップＳ１３４：Ｙｅｓ）、スマートデバイスは、プロジェクタ装置９からＢＬＥ通信エリア６ｆのＲＳＳＩ閾値（ＲＳＳＩパラメータ）及び現在のＲＳＳＩ値を受信する（ステップＳ１３５）。スマートデバイスは、ＲＳＳＩ閾値（ＲＳＳＩパラメータ）及び現在のＲＳＳＩ値に基づいて、自機がＢＬＥ通信エリア６ｆ内に位置しているか否かを監視する（ステップＳ１３６）。
【０１２３】
また、スマートデバイスがＢＬＥ発信機１００のＢＬＥ通信エリア６ｇに入場していた場合（ステップＳ１３８：Ｙｅｓ）、スマートデバイスは、ＢＬＥ発信機１００からＢＬＥ通信エリア６ｇのＲＳＳＩ閾値（ＲＳＳＩパラメータ）及び現在のＲＳＳＩ値を受信する（ステップＳ１３８）。スマートデバイスは、ＲＳＳＩ閾値（ＲＳＳＩパラメータ）及び現在のＲＳＳＩ値に基づいて、自機がＢＬＥ通信エリア６ｇ内に位置しているか否かを監視する（ステップＳ１３９）。
【０１２４】
このように、スマートデバイスは、一纏まりのＢＬＥ通信エリアに設定されているＢＬＥ通信エリア６ｅ〜６ｇに入場したか否かを判別する。そして、いずれのＢＬＥ通信エリアにも入場していないと判別した際に（ステップＳ１３１：Ｎｏ）、ステップＳ１４０に処理を進める。
【０１２５】
ステップＳ１４０では、スマートデバイスが、通信範囲制限装置１に対して無線ＬＡＮの切断指示を行う（ステップＳ１４０）。これにより、通信範囲制限装置１は、スマートデバイスとの間に確立されていた無線ＬＡＮを切断処理する（ステップＳ１４１）。また、通信範囲制限装置１は、切断処理したスマートデバイスを、接続スマートデバイスリスト（第２のＤＢ１０３：表２）から削除して更新する（ステップＳ１４２）。また、スマートデバイスは、通信範囲制限装置１の指示に従い、操作機器リスト１０５の接続周辺機器の情報を削除する。これにより、図２５のフローチャートの処理が終了となる。
【０１２６】
以上の説明から明らかなように、実施の形態の無線ＬＡＮ通信システムは、無線ＬＡＮ通信エリア５内において、通信範囲制限装置１が、各デバイスにより形成される複数のＢＬＥ通信エリア６ｅ〜６ｇを一纏まりのＢＬＥ通信エリアとして設定する。一纏まりのＢＬＥ通信エリア内に移動したデバイスは、通信範囲制限装置１から、一纏まりに設定されている各ＢＬＥ通信エリア内に存在するデバイス（周辺機器）のアドレス及び制御情報等の接続周辺機器リストを取得し、所望のデバイスを選択して操作する。
【０１２７】
実施の形態の無線ＬＡＮ通信システムの場合、管理者の指定等に応じて、無線ＬＡＮ通信エリア５内における所望のＢＬＥ通信エリア同士を纏めて一つのＢＬＥ通信エリアとすることができる。このため、ＢＬＥ通信エリアを簡単かつ自由に可変でき、使い勝手のよい無線ＬＡＮ通信システムとすることができる。
【０１２８】
また、通信範囲制限装置１は、一纏まりに設定した各ＢＬＥ通信エリア内に存在するデバイス（周辺機器）のアドレス及び制御情報等を示す接続周辺機器リストを送信する。これにより、一纏まりに設定されたＢＬＥ通信エリアに位置することとなったデバイスは、各ＢＬＥ通信エリアの周辺機器を自由に選択して操作することができる。
【０１２９】
上述の実施の形態は、例として提示したものであり、本発明の範囲を限定することは意図していない。この新規な実施の形態は、その他の様々な形態で実施されることが可能である。また、発明の要旨を逸脱しない範囲で、種々の省略、置き換え、変更を行うことも可能である。実施の形態及び実施の形態の変形は、発明の範囲や要旨に含まれると共に、特許請求の範囲に記載された発明とその均等の範囲に含まれる。
【符号の説明】
【０１３０】
１  通信範囲制限装置
２  スマートフォン
３  プリンタ装置
４  プロジェクタ装置
５  無線ＬＡＮ通信エリア
６  ＢＬＥ通信エリア
６’  ＢＬＥ通信エリア
７  無線ＬＡＮ通信不可エリア
１５  入出力Ｉ／Ｆ
１６  無線ＬＡＮＡＰ部
１７  ＢＬＥ通信部
３１  無線ＬＡＮ通信部
３２  ＢＬＥ通信部
４７  無線ＬＡＮ通信部
４８  ＢＬＥ通信部
７５  デバイス接続部
７６  周辺機器接続部
７７  離脱検知部
７８  無線ＬＡＮＡＰ制御部
７９  ＢＬＥ通信制御部
８１  印刷依頼部
８２  無線ＬＡＮ通信制御部
８３  ＢＬＥ通信制御部
８５  印刷部
８６  無線ＬＡＮ通信制御部
８７  ＢＬＥ通信制御部
１０２  通信範囲情報リスト
１０３  接続スマートデバイスリスト
１０４  接続周辺機器リスト
１０５  操作機器リスト
【先行技術文献】
【特許文献】
【０１３１】
【特許文献１】特開２０１４−０６０４７９号公報
【特許文献２】特開２０１３−２３６３１６号公報
【図１】
2017085457.tif 000006
【図２】
2017085457.tif 000007
【図３】
2017085457.tif 000008
【図４】
2017085457.tif 000009
【図５】
2017085457.tif 000010
【図６】
2017085457.tif 000011
【図７】
2017085457.tif 000012
【図８】
2017085457.tif 000013
【図９】
2017085457.tif 000014
【図１０】
2017085457.tif 000015
【図１１】
2017085457.tif 000016
【図１２】
2017085457.tif 000017
【図１３】
2017085457.tif 000018
【図１４】
2017085457.tif 000019
【図１５】
2017085457.tif 000020
【図１６】
2017085457.tif 000021
【図１７】
2017085457.tif 000022
【図１８】
2017085457.tif 000023
【図１９】
2017085457.tif 000024
【図２０】
2017085457.tif 000025
【図２１】
2017085457.tif 000026
【図２２】
2017085457.tif 000027
【図２３】
2017085457.tif 000028
【図２４】
2017085457.tif 000029
【図２５】
2017085457.tif 000030